(57)【要約】【課題】収納家具に金具製品を簡単且つ確実に取り付けることができる位置決め用の型紙を提供する。【解決手段】型紙本体１０ａの表面には、収納家具Ｓの側板Ｇの内側面に取り付けられる部分である側板内側面取付部１６と、側板内側面取付部１６に隣接して設けられ、該側板Ｇの前端面に取り付けられる部分である側板前端面取付部１４とを区切る区切り線１２が印刷されており、側板内側面取付部１６には、該側板Ｇの内側面に形成されているダボ穴Ｘと対応する複数のダボ穴位置表示１８と、金具製品取り付け用の下穴とすべき位置である下穴位置表示２０とが印刷されている。【選択図】図２
2013146456.tif 000002
【特許請求の範囲】
【請求項１】
型紙本体の表面には、収納家具の側板の内側面に取り付けられる部分である側板内側面取付部と、前記側板内側面取付部に隣接して設けられ、該側板の前端面に取り付けられる部分である側板前端面取付部とを区切る区切り線が印刷されており、
前記側板内側面取付部には、該側板の内側面に形成されているダボ穴と対応する複数のダボ穴位置表示と、金具製品取り付け用の下穴とすべき位置である下穴位置表示とが印刷されていることを特徴とする位置決め用型紙。
【請求項２】
型紙本体の表面には、収納家具の水平方向に架け渡されている水平板の上面又は下面に取り付けられる部分である水平板水平面取付部と、前記水平板水平面取付部の側方に隣接して設けられ、収納家具の側板の内側面に取り付けられる部分である側板内側面取付部とを区切る第１の区切り線、および前記水平板水平面取付部と、前記水平板水平面取付部の前端部に隣接して設けられ、該水平板の前端面に取り付けられる部分である水平板前端面取付部とを区切る第２の区切り線とが印刷されており、
前記水平板水平面取付部には、金具製品取り付け用の下穴とすべき位置である下穴位置表示が印刷されており、
前記側板内側面取付部には、前記ダボ穴と対応する複数のダボ穴位置表示が印刷されていることを特徴とする位置決め用型紙。
【請求項３】
前記ダボ穴位置表示がダボの挿通用の貫通孔として形成されていることを特徴とする請求項１または２に記載の位置決め用型紙。
【発明の詳細な説明】
【技術分野】
【０００１】
収納家具に耐震ラッチやダンパーのような金具製品を事後的に簡単且つ正確に取り付けることができるようにする位置決め用型紙に関する。
【背景技術】
【０００２】
収納家具に耐震ラッチやダンパーのような金具製品を事後的に取り付ける際には、金具製品を指定位置に正確に取り付ける必要がある。金具製品の取付位置が少しでもずれていると、金具製品の諸機能を有効に機能させることができなくなるからである。
【０００３】
金具製品を収納家具の指定位置に取り付ける際には、収納家具に金具取り付け用の下穴を予め形成することが一般に行われており、下穴の形成位置を決定する方法として、例えば非特許文献１に示すように型紙を利用する方法や、非特許文献２〜３に示すように取付治具を利用する方法が広く採用されている。
【先行技術文献】
【非特許文献】
【０００４】
【非特許文献１】「http://www.toshiba.co.jp/living/webcata/builtin/pdf/buc_m90b_kouji.pdf」
【非特許文献２】「http://www.systechkyowa.co.jp/japanese/pdf/KSL-HD2manual.pdf」
【非特許文献３】「http://www.kabutaka.jp/man/S48400505.pdf」
【発明の概要】
【発明が解決しようとする課題】
【０００５】
従来の型紙を利用する方法では、型紙を収納家具に宛がい、これを押さえ付けながら下穴の形成作業を行う必要があるが、一方の手で型紙を押さえながら反対側の手で錐を握り、下穴を形成するのは大変困難な作業である。また、型紙を押さえ付けている手が少しでも動いてしまうと、型紙の位置が不所望にズレてしまうことがあり、金具製品の正確な取り付けができなくなるという問題もあった。
【０００６】
一方、取付治具を利用する方法では、下穴を形成するためだけに金属性や樹脂製の高価な取付治具を別途用意しなければならず、費用が嵩むという問題がある。
【０００７】
本発明は、かかる従来の問題点に鑑みてなされたものであり、金具製品を簡単且つ確実にしかも安価に取り付けることができる位置決め用の型紙を提供する。
【課題を解決するための手段】
【０００８】
請求項１に記載した発明は、「型紙本体１０ａの表面には、収納家具Ｓの側板Ｇの内側面に取り付けられる部分である側板内側面取付部１６と、側板内側面取付部１６に隣接して設けられ、該側板Ｇの前端面に取り付けられる部分である側板前端面取付部１４とを区切る区切り線１２が印刷されており、側板内側面取付部１６には、該側板Ｇの内側面に形成されているダボ穴Ｘと対応する複数のダボ穴位置表示１８と、金具製品取り付け用の下穴とすべき位置である下穴位置表示２０とが印刷されている」ことを特徴とする位置決め用型紙１０である。
【０００９】
請求項２に記載した発明は、第２実施例で「型紙本体３０ａの表面には、収納家具Ｓの水平方向に架け渡されている水平板の上面又は下面に取り付けられる部分である水平板水平面取付部３２と、水平板水平面取付部３２の側方に隣接して設けられ、収納家具Ｓの側板Ｇの内側面に取り付けられる部分である側板内側面取付部３４とを区切る第１の区切り線４０、および水平板水平面取付部３２と、水平板水平面取付部３２の前端部に隣接して設けられ、該水平板の前端面に取り付けられる部分である水平板前端面取付部３６とを区切る第２の区切り線４４とが印刷されており、水平板水平面取付部３２には、金具製品取り付け用の下穴とすべき位置である下穴位置表示３８が印刷されており、側板内側面取付部３４には、ダボ穴Ｘと対応する複数のダボ穴位置表示４２が印刷されている」ことを特徴とする位置決め用型紙３０である。
【００１０】
請求項３に記載した発明は、「ダボ穴位置表示１８，４２がダボＤの挿通用の貫通孔として形成されている」ことを特徴とする。
【発明の効果】
【００１１】
請求項１に記載の発明では、位置決め用型紙１０の側板内側面取付部１６を側板Ｇの内側面に宛がうとともに、側板前端面取付部１４を側板Ｇの前端面に宛がう。そして、ダボ穴位置表示１８が側板Ｇの内側面に形成されているダボ穴Ｘと一致するように位置決め用型紙１０の高さ調整を行い、ダボＤをダボ穴位置表示１８の上から押し当てて位置決め用型紙１０を突き破り、或いは、ドリルなどを用いてダボ穴位置表示１８部分に孔をあけ、ダボＤをダボ穴Ｘに押し込む。これにより、位置決め用型紙１０を収納家具Ｓに仮固定させることができる。
【００１２】
また、請求項２に記載の発明では、位置決め用型紙３０の水平板水平面取付部３２を天板Ｔの天井面に宛がい、側板内側面取付部３４を側板Ｇの内側面に宛がい、さらに、水平板前端面取付部３６を天板Ｔの前端面に宛がう（このとき、ダボ穴位置表示４２と、側板Ｇの内側面に形成されているダボ穴Ｘとは一致している）。そして、ダボＤをダボ穴位置表示４２の上から押し当てて、或いは、ドリルなどを用いてダボ穴位置表示４２部分に孔をあけ、ダボＤをダボ穴Ｘに押し込む。これにより、位置決め用型紙３０を収納家具Ｓに仮固定させることができる。
【００１３】
このように、請求項１および２に記載の発明によれば、ダボＤを用いて位置決め用型紙１０，３０を収納家具Ｓに仮固定することができるので、両手をフリーにした状態で金具製品取付用の下穴を形成することができ、作業効率が大いに高められる。
【００１４】
また、位置決め用型紙１０，３０が収納家具Ｓに仮固定されることで、下穴形成作業中に位置決め用型紙１０，３０の位置がずれることはなく、金具製品をより正確に取り付けることができる。
【００１５】
さらに、位置決め用型紙１０，３０は、紙で形成されているので、安価に提供することができる。
【００１６】
なお、請求項３に記載の発明のように、ダボ穴位置表示１８，４２を切り欠いてダボＤの挿通用の貫通孔として形成しておけば、ダボＤを押し込んで、或いは、ドリルなどを用いてダボ穴位置表示１８，４２部分に孔をあける手間が必要なく、その分、位置決め用型紙１０，３０を収納家具Ｓに簡単に仮固定することができる。
【図面の簡単な説明】
【００１７】
【図１】この発明にかかる位置決め用型紙を示す図である。
【図２】使用状態を示す図である。
【図３】この発明にかかる位置決め用型紙の第２実施例を示す図である。
【図４】図３に示す実施例の折り曲げ状態を示す斜視図である。
【図５】図３に示す実施例の使用状態を示す図である。
【発明を実施するための形態】
【００１８】
以下、本発明を図面に従って説明する。図１は、本発明にかかる位置決め用型紙１０を示す図である。この図が示すように、本発明にかかる位置決め用型紙１０は、紙からなる例えば矩形状のシート状部材である型紙本体１０ａを有し、型紙本体１０ａの幅方向一方端部（図１における右側端部）には、上下方向に伸びる区切り線１２が印刷されている。
【００１９】
区切り線１２は、位置決め用型紙１０を、側板Ｇの前端面に取り付ける部分（側板前端面取付部１４）と、側板Ｇの内側面に取り付ける部分（側板内側面取付部１６）とに区切るもので、位置決め用型紙１０の幅方向一方端部においてその上下方向に延びるように印刷されている。
【００２０】
なお、本実施例では区切り線１２が破線で印刷されているが、側板前端面取付部１４と側板内側面取付部１６との境界線であることを視覚的に認識することができればよく、例えば、実線や一点鎖線等として印刷するようにしてもよい。
【００２１】
型紙本体１０ａの側板内側面取付部１６には、複数（本実施例では２個）のダボ穴位置表示１８、１又は複数（本実施例では３つ）の下穴位置表示２０および金具製品取付位置表示２２がそれぞれ印刷されている。
【００２２】
ダボ穴位置表示１８は、側板Ｇの内側面に穿設されているダボ穴Ｘの位置を示すためのものであり、本実施例では、各ダボ穴位置表示１８がダボ穴Ｘと同じ大きさの白丸として表わされており（後述するように、貫通孔としてもよい）、その印刷位置は、区切り線１２を側板Ｇの角部Ｋ（図２参照）に沿わせて高さ調整を行ったときにダボ穴位置表示１８と側板Ｇの内側面に穿設されているダボ穴Ｘとが丁度一致するように適宜設定されている。
【００２３】
下穴位置表示２０は、金具製品（図示省略）を側板Ｇの内側面にビス留めするための下穴を形成する位置を示すためのものであり、本実施例では、小さな白丸として表されている。なお、下穴位置表示２０の数やその印刷位置は、金具製品（図示省略）の形状等に応じて適宜設定される。
【００２４】
金具製品取付位置表示２２は、収納家具Ｓに取り付ける金具製品（図示省略）の取付位置を視覚的に認識できるよう必要に応じて印刷されるもので、本実施例では、二点鎖線で印刷されている。
【００２５】
以上のように構成されている位置決め用型紙１０を用いて収納家具Ｓに金具製品を取り付ける方法について、図２を参照しつつ説明する。
【００２６】
まず、位置決め用型紙１０を区切り線１２の部分で折り曲げる。そして、位置決め用型紙１０の側板内側面取付部１６を側板Ｇの内側面に宛がうとともに、側板前端面取付部１４を側板Ｇの前端面に宛がい、側板Ｇの内側面に形成されているダボ穴Ｘとダボ穴位置表示１８とが一致するように位置決め用型紙１０の上下方向の位置調整を行う。
【００２７】
然る後、ダボＤをダボ穴位置表示１８に強く押し当てて型紙本体１０ａを突き破り（或いは、ドリルなどを用いてダボ穴位置表示１８部分に孔をあけ）、ダボＤをダボ穴Ｘにはめ込む。これにより、位置決め用型紙１０が収納家具Ｓに仮固定されることとなる。
【００２８】
位置決め用型紙１０の収納家具Ｓへの仮固定が完了すると、下穴位置表示２０の部分に錐やドリルなどで下穴をあける。
【００２９】
そして、下穴の形成作業が完了すると、位置決め用型紙１０を取り外し、先ほど形成した下穴を目印にして図示しない金具製品をビスやネジを用いて取り付ける。
【００３０】
本実施例の位置決め用型紙１０によれば、位置決め用型紙１０を収納家具Ｓに仮固定することができるので、両手をフリーにした状態で金具製品取り付け用の下穴を形成することができ、その作業効率が大いに高められる。
【００３１】
また、位置決め用型紙１０が収納家具Ｓに仮固定されることで、下穴形成作業中に位置決め用型紙１０が不所望に位置ずれすることはなく、金具製品等をより正確に取り付けることができる。
【００３２】
さらに、位置決め用型紙１０は、その全体を紙で形成することができるので、非常に安価に提供することができる。
【００３３】
次に、図３〜図４に示す本発明に係る第２実施例の位置決め用型紙３０について説明する。第２実施例の位置決め用型紙３０は、天板、棚板或いは底板のような、収納家具Ｓの水平方向に架け渡されている「水平板」の上面又は下面に金具製品を取り付けるために用いられるものである。なお、図３は、位置決め用型紙３０を示す平面図であり、図４は、位置決め用型紙３０の組み立て状態を示す斜視図である。
【００３４】
これらの図が示すように、第２実施例の位置決め用型紙３０は、紙からなるシート状部材である型紙本体３０ａを有する。型紙本体３０ａは、水平板水平面取付部３２、側板内側面取付部３４および水平板前端面取付部３６の３つの部分から構成されている。
【００３５】
水平板水平面取付部３２は、水平板の上面又は下面に取り付けられる例えば矩形状部分で、その表面には、複数（本実施例では２個）の下穴位置表示３８が印刷されている。
【００３６】
下穴位置表示３８は、金具製品（図示省略）をビス留めするための下穴を形成する位置を示すためのものであり、その位置や数は、金具製品の種類や形状等に応じて適宜設定される。
【００３７】
なお、本実施例においても、第１実施例と同様、金具製品の取り付け位置を示す金具製品取付位置表示を必要に応じて印刷するようにしてもよい。
【００３８】
水平板水平面取付部３２の側方（図３における左側端部）には、側板内側面取付部３４が延設されており、水平板水平面取付部３２と側板内側面取付部３４との境界部分には、水平板水平面取付部３２と側板内側面取付部３４とを区切る第１の区切り線４０が印刷されている。
【００３９】
側板内側面取付部３４は、側板Ｇの内側面に取り付けられる例えば矩形状部分で、その表面には、複数（本実施例では２個）のダボ穴位置表示４２が印刷されている。
【００４０】
ダボ穴位置表示４２は、側板Ｇの内側面に穿設されているダボ穴Ｘの位置を示すためのものであり、本実施例では、各ダボ穴位置表示４２がダボ穴Ｘと同じ大きさの白丸として表わされている（後述するように、貫通孔としてもよい）。ダボ穴位置表示４２の位置は、位置決め用型紙３０を図５に示すように収納家具Ｓに沿わせたときに、ダボ穴位置表示４２と側板Ｇの内側面に穿設されているダボ穴Ｘとが丁度一致するように適宜設定されている。
【００４１】
水平板水平面取付部３２の前端部（図３における上端部）には、水平板前端面取付部３６が延設されており、水平板水平面取付部３２と水平板前端面取付部３６との境界部分には、水平板水平面取付部３２と水平板前端面取付部３６とを区切る第２の区切り線４４が印刷されている。水平板前端面取付部３６は、水平板の前端面に取り付けられる、例えば矩形状部分である。
【００４２】
以上のように構成されている位置決め用型紙３０を用いて、水平板である天板Ｔの天井面に金具製品を取り付ける方法をその一例として取り上げて説明する（棚板の上面又は下面に金具製品を取り付ける場合や、底板の上面に金具製品を取り付ける場合についても同様である）。
【００４３】
まず、位置決め用型紙３０を第１の区切り線４０ならびに第２の区切り線４４の部分でそれぞれ折り曲げる。このとき、図４に示すように、側板内側面取付部３４は、その自由端部が下方を向くように折り曲げ、水平板前端面取付部３６は、その自由端部が上方を向くように折り曲げる。
【００４４】
次に、図５に示すように、位置決め用型紙３０の水平板水平面取付部３２を天板Ｔの天井面に宛がい、側板内側面取付部３４を側板Ｇの内側面に宛がい、水平板前端面取付部３６を側板Ｇの前端面に宛がう。本実施例では、位置決め用型紙３０を構成している３面が収納家具Ｓの異なる３面（すなわち、天板Ｔの天井面、側板Ｇの内側面ならびに天板Ｔの前端面）にそれぞれ取り付けられることとなるので、その取付位置は一義的に決まり、第１実施例のときのような位置調整作業は不要となる。位置決め用型紙３０を収納家具Ｓに取り付けた状態では、側板内側面取付部３４に印刷されているダボ穴位置表示４２の位置が、ダボ穴Ｘと丁度重なるようになっている。
【００４５】
以上の状態で、ダボＤをダボ穴位置表示４２に強く押し当てて型紙本体３０ａを突き破り（或いは、ドリルなどを用いてダボ穴位置表示４２部分に孔をあけ）、ダボＤをダボ穴Ｘにはめ込む。これにより、位置決め用型紙３０が収納家具Ｓに仮固定されることとなる。
【００４６】
そして、第１実施例と同様、下穴位置表示３８の部分に錐やドリルなどで下穴を形成し、位置決め用型紙３０を取り外した後、金具製品を天板Ｔにビス止めする。
【００４７】
本実施例の位置決め用型紙３０によれば、第１実施例と同様、位置決め用型紙３０を収納家具Ｓに仮固定することができるので、両手をフリーにした状態で金具製品取り付け用の下穴を形成することができ、作業効率が大いに高められる。
【００４８】
また、位置決め用型紙３０が側板Ｇに仮固定されることで、下穴形成作業中に位置決め用型紙３０の位置がずれることはなく、金具製品等をより正確に取り付けることができる。
【００４９】
なお、第１実施例の位置決め用型紙１０と、第２実施例の位置決め用型紙３０の両方に共通して適用できることであるが、ダボ穴位置表示１８，４２を予め貫通させてダボＤを挿通するための貫通孔としてもよく、このようにしておけば、ダボＤを押し込んで型紙本体１０ａ，３０ａを突き破る（或いは、ドリルなどを用いてダボ穴位置表示１８，４２部分に孔をあける）手間を省略でき、その分、作業を簡略化できる。
【符号の説明】
【００５０】
１０，３０…位置決め用型紙
１０ａ，３０ａ…型紙本体
１２…区切り線
１４…側板前端面取付部
１６…側板内側面取付部
１８，４２…ダボ穴位置表示
２０，３８…下穴位置表示
２２…金具製品取付位置表示
３２…水平板水平面取付部
３４…側板内側面取付部
３６…水平板前端面取付部
４０…第１の区切り線
４４…第２の区切り線
Ｄ…ダボ
Ｋ…角部
Ｇ…側板
Ｓ…収納家具
Ｔ…天板
Ｘ…ダボ穴
【図１】
2013146456.tif 000003
【図２】
2013146456.tif 000004
【図３】
2013146456.tif 000005
【図４】
2013146456.tif 000006
【図５】
2013146456.tif 000007